【手続補正書】
【提出日】平成24年8月27日(2012.8.27)
【手続補正１】
【補正対象書類名】明細書
【補正対象項目名】００１１
【補正方法】変更
【補正の内容】
【００１１】
請求項１記載の発明は、撮像手段と、上記撮像手段を予め用意された複数の連続撮影速度のうちの１つで駆動させ、時間的に連続した複数の画像データを取得する取得手段と、上記取得手段によって取得された複数の画像データを一時的に保持する第１保持手段と、上記第１保持手段に一時的に保持されている複数の画像データを、予め与えられた圧縮率に基づいて順次圧縮処理する圧縮手段と、上記圧縮手段によって圧縮された画像データが所定のデータ量に収まったか否かを判断する判断手段と、上記判断手段で圧縮した画像データが上記所定のデータ量に収まらないと判断した場合に、上記圧縮率よりも高い圧縮率で上記複数の画像データを再圧縮処理するよう制御する第１制御手段と、上記取得手段により駆動される連続撮影速度に応じて、上記複数の画像データの夫々に対する再圧縮処理回数を設定する回数設定手段とを具備したことを特徴とする。
【手続補正２】
【補正対象書類名】明細書
【補正対象項目名】００１２
【補正方法】変更
【補正の内容】
【００１２】
請求項７記載の発明は、撮像部を予め用意された複数の連続撮影速度のうちの１つで駆動させ、時間的に連続した複数の画像データを取得させる取得ステップと、上記取得ステップにて取得された複数の画像データを保持部に一時的に保持させる保持ステップと、上記保持ステップにて一時的に保持されている複数の画像データを、予め与えられた圧縮率に基づいて順次圧縮処理する圧縮ステップと、上記圧縮ステップにて圧縮された画像データが所定のデータ量に収まったか否かを判断する判断ステップと、上記判断ステップにて、圧縮した画像データが上記所定のデータ量に収まらないと判断した場合に、上記圧縮率よりも高い圧縮率で上記複数の画像データを再圧縮処理するよう制御する制御ステップと、上記取得ステップにて駆動される連続撮影速度に応じて、上記複数の画像データの夫々に対する再圧縮処理回数を設定する回数設定ステップとを含むことを特徴とする。
【手続補正３】
【補正対象書類名】明細書
【補正対象項目名】００１３
【補正方法】変更
【補正の内容】
【００１３】
請求項８記載の発明は、撮像部を有する装置が内蔵するコンピュータを、上記撮像部を予め用意された複数の連続撮影速度のうちの１つで駆動させ、時間的に連続した複数の画像データを取得させる取得手段、上記取得手段によって取得された複数の画像データを保持部に一時的に保持させる保持手段、上記保持手段に一時的に保持されている複数の画像データを、予め与えられた圧縮率に基づいて順次圧縮処理する圧縮手段、上記圧縮手段によって圧縮された画像データが所定のデータ量に収まったか否かを判断する判断手段、上記判断手段で、圧縮した画像データが上記所定のデータ量に収まらないと判断した場合に、上記圧縮率よりも高い圧縮率で上記複数の画像データを再圧縮処理するよう制御する制御手段、上記取得手段により駆動される連続撮影速度に応じて、上記複数の画像データの夫々に対する再圧縮処理回数を設定する回数設定手段として機能させることを特徴とする。
【手続補正４】
【補正対象書類名】特許請求の範囲
【補正対象項目名】全文
【補正方法】変更
【補正の内容】
【特許請求の範囲】
【請求項１】
撮像手段と、
上記撮像手段を予め用意された複数の連続撮影速度のうちの１つで駆動させ、時間的に連続した複数の画像データを取得する取得手段と、
上記取得手段によって取得された複数の画像データを一時的に保持する第１保持手段と、
上記第１保持手段に一時的に保持されている複数の画像データを、予め与えられた圧縮率に基づいて順次圧縮処理する圧縮手段と、
上記圧縮手段によって圧縮された画像データが所定のデータ量に収まったか否かを判断する判断手段と、
上記判断手段で圧縮した画像データが上記所定のデータ量に収まらないと判断した場合に、上記圧縮率よりも高い圧縮率で上記複数の画像データを再圧縮処理するよう制御する第１制御手段と、
上記取得手段により駆動される連続撮影速度に応じて、上記複数の画像データの夫々に対する再圧縮処理回数を設定する回数設定手段と
を具備したことを特徴とする撮像装置。
【請求項２】
上記第１制御手段は、上記判断手段で圧縮した画像データが上記所定のデータ量に収まらないと判断した場合に、上記回数設定手段によって設定された再圧縮処理回数に応じて、段階的に圧縮率を高くして上記複数の画像データを再圧縮処理するよう制御することを特徴とする請求項１記載の撮像装置。
【請求項３】
上記第１制御手段により再圧縮処理する毎に上記設定された再圧縮処理回数を減算し、その減算後の再圧縮処理回数を保持する第２保持手段を更に備え、
上記判断手段は更に、上記圧縮手段によって圧縮された画像データが所定のデータ量に収まったか否かに加え、上記第２保持手段によって保持された減算後の再圧縮処理回数が０か否かも判断し、
上記第１制御手段は、上記判断手段で減算後の再圧縮処理回数が０でないと判断した場合に、上記圧縮手段に対し上記第１の圧縮率よりも高い圧縮率で上記複数の画像データを再圧縮処理するよう制御することを特徴とする請求項１又は２記載の撮像装置。
【請求項４】
上記判断手段で減算後の再圧縮処理回数が０と判断した場合、上記画像データが上記所定のデータ量に収まるような圧縮率を設定する圧縮率設定手段と、
上記圧縮率設定手段によって設定された圧縮率で上記複数の画像データを再圧縮処理するよう制御する第２制御手段と、を更に備えることを特徴とする請求項３記載の撮像装置。
【請求項５】
上記判断手段により上記所定のデータ量に収まったと判断されるまで、上記圧縮手段により圧縮処理、又は、再圧縮処理された画像データを、上記第１保持手段に繰返し保持する制御する保持制御手段を更に備えることを特徴とする請求項１乃至４の何れかに記載の撮像装置。
【請求項６】
上記判断手段で圧縮した画像データが上記所定のデータ量に収まったと判断した場合に、圧縮処理された複数の画像データを所定のメモリに格納するよう制御する格納制御手段を更に備えることを特徴とする請求項１乃至５の何れかに記載の撮像装置。
【請求項７】
撮像部を予め用意された複数の連続撮影速度のうちの１つで駆動させ、時間的に連続した複数の画像データを取得させる取得ステップと、
上記取得ステップにて取得された複数の画像データを保持部に一時的に保持させる保持ステップと、
上記保持ステップにて一時的に保持されている複数の画像データを、予め与えられた圧縮率に基づいて順次圧縮処理する圧縮ステップと、
上記圧縮ステップにて圧縮された画像データが所定のデータ量に収まったか否かを判断する判断ステップと、
上記判断ステップにて、圧縮した画像データが上記所定のデータ量に収まらないと判断した場合に、上記圧縮率よりも高い圧縮率で上記複数の画像データを再圧縮処理するよう制御する制御ステップと、
上記取得ステップにて駆動される連続撮影速度に応じて、上記複数の画像データの夫々に対する再圧縮処理回数を設定する回数設定ステップと
を含むことを特徴とする撮像制御方法。
【請求項８】
撮像部を有する装置が内蔵するコンピュータを、
上記撮像部を予め用意された複数の連続撮影速度のうちの１つで駆動させ、時間的に連続した複数の画像データを取得させる取得手段、
上記取得手段によって取得された複数の画像データを保持部に一時的に保持させる保持手段、
上記保持手段に一時的に保持されている複数の画像データを、予め与えられた圧縮率に基づいて順次圧縮処理する圧縮手段、
上記圧縮手段によって圧縮された画像データが所定のデータ量に収まったか否かを判断する判断手段、
上記判断手段で、圧縮した画像データが上記所定のデータ量に収まらないと判断した場合に、上記圧縮率よりも高い圧縮率で上記複数の画像データを再圧縮処理するよう制御する制御手段、
上記取得手段により駆動される連続撮影速度に応じて、上記複数の画像データの夫々に対する再圧縮処理回数を設定する回数設定手段
として機能させることを特徴とするプログラム。